(57)【要約】【課題】  ＤＶＤを薄型テレビジョンに取り付けたときに、空いたスペースを大きく取らずに、最小限のスペースでＤＶＤを薄型テレビジョンに取り付けることができるＤＶＤの薄型テレビジョンへの取付構造を提供する。【解決手段】  ＤＶＤ２には薄型テレビジョン１の上面に引っ掛けて裏面上側に位置させるためのフック部３がヒンジ部４を介して開閉可能に設けられ、ＤＶＤ２にはディスクトレイ５の出し入れ用の開口部とＬＥＤ表示部６が設けられ、このＬＥＤ表示部６は立設可能にＤＶＤ２の前面に取り付けられ、ＤＶＤ２を薄型テレビジョン１の裏面側に位置させた際にＬＥＤ表示部６の文字が薄型テレビジョン１の前側から見て正常に解読できるように文字表示を変換する変換用スイッチ８がＤＶＤ２の裏面側に設けられている。【選択図】  図１
2006115233.tif 000002
【特許請求の範囲】
【請求項１】
薄型テレビジョンにＤＶＤを取り付けるようにしたＤＶＤの薄型テレビジョンへの取付構造において、前記ＤＶＤには前記薄型テレビジョンの上面に引っ掛けて裏面上側に位置させるためのフック部がヒンジ部を介して開閉可能に設けられ、前記ＤＶＤにはディスクトレイ出し入れ用の開口部とＬＥＤ表示部が設けられ、このＬＥＤ表示部は立設可能に前記ＤＶＤの前面に取り付けられ、前記ＤＶＤを前記薄型テレビジョンの裏面側に位置させた際に前記ＬＥＤ表示部の文字が前記薄型テレビジョンの前側から見て正常に解読できるように文字表示を変換する変換用スイッチが前記ＤＶＤの裏面側に設けられていることを特徴とするＤＶＤの薄型テレビジョンへの取付構造。
【請求項２】
薄型テレビジョンにＤＶＤを取り付けるようにしたＤＶＤの薄型テレビジョンへの取付構造において、前記ＤＶＤに前記薄型テレビジョンの上面に引っ掛けて裏面側に位置させるためのフック部が設けられていることを特徴とするＤＶＤの薄型テレビジョンへの取付構造。
【請求項３】
前記フック部は、前記ＤＶＤの表面にビス止めで取り付けられるようにした請求項２に記載のＤＶＤの薄型テレビジョンへの取付構造。
【請求項４】
前記ＤＶＤのＬＥＤ表示部は、前記ＤＶＤのパネルに対して立設可能に取り付けられている請求項２又は３に記載のＤＶＤの薄型テレビジョンへの取付構造。
【請求項５】
前記ＬＥＤ表示部は、その裏面側に立設した状態を保持するための保持板が斜め向きに取り付けられている請求項４に記載のＤＶＤの薄型テレビジョンへの取付構造。
【請求項６】
前記保持板の端部には、前記ＬＥＤ表示部を立設した状態で前記ＤＶＤの本体部の係合部に係脱可能に係合するための係合爪が設けられている請求項５に記載のＤＶＤの薄型テレビジョンへの取付構造。
【請求項７】
前記保持板は、長手方向略中央部で枢支されて折曲可能に構成されている請求項５に記載のＤＶＤの薄型テレビジョンへの取付構造。
【発明の詳細な説明】
【技術分野】
【０００１】
本発明は、薄型テレビジョンにＤＶＤを取り付けるようにしたＤＶＤの薄型テレビジョンへの取付構造に関するものである。
【背景技術】
【０００２】
第１の従来技術を図８、図９に示す。この従来技術は、液晶表示装置１２０が本体キャビネット１１０に傾斜自在に取り付けられ、本体キャビネット１１０上部には操作パネル１５０とＤＶＤの駆動機構１４０が取り付けられている。ＤＶＤ駆動機構１４０の下方の空所には迷路型音響装置１３０が配置されている。（例えば、特許文献１参照）。
【０００３】
ところが、これにおいては、ＤＶＤ駆動機構１４０が本体キャビネット１１０に一体的に取り付けられているものであった。また、本体キャビネット１１０が大型のものであり、装置全体の幅が大きいものであった。
【０００４】
第２の従来技術を図１０に示す。この従来技術は、図１０に示すように、映像、音声などのマルチメディアデータを読み書きするための記憶装置２１３や記録媒体を格納する記録再生装置が映像表示装置が映像表示装置２１１内に設けられている。（例えば、特許文献２参照）。
【０００５】
ところが、これにおいては、記憶装置２１３や記録再生装置が映像表示装置２１１に一体に設けられているものであった。
【０００６】
第３の従来技術を図１１、１２に示す。この従来技術は、図１１、１２に示すように、上部に並列する第１と第２の長方形の開口部３０２、３０３を備えたホップアップ型トースター外形である。第１の開口部３０２に、略直方体の内部から昇降する液晶表示パネル部３０４を設け、第２の開口部３０３をビデオテープ挿入口としている。（例えば、特許文献３参照）。
【０００７】
ところが、これにおいては、液晶表示パネル部３０４の出し入れ口である第１の開口部３０２とビデオテープ挿入口である第２の開口部３０３を一体に設けたものであった。
【特許文献１】特開２００１−３０７４７０号公報
【特許文献２】特開平１１−２２０６７９号公報
【特許文献３】実登録第３０８５７５９号公報
【発明の開示】
【発明が解決しようとする課題】
【０００８】
本発明は、上記従来の実情に鑑みてなされたものであって、ＤＶＤを薄型テレビジョンに取り付けたときに、空いたスペースを大きく取らずに、最小限のスペースでＤＶＤを薄型テレビジョンに取り付けることができるＤＶＤの薄型テレビジョンへの取付構造を提供することを目的としている。
【課題を解決するための手段】
【０００９】
本発明は、上記課題を解決するために提案されたものであって、請求項１に記載の発明は、薄型テレビジョンにＤＶＤを取り付けるようにしたＤＶＤの薄型テレビジョンへの取付構造において、前記ＤＶＤには前記薄型テレビジョンの上面に引っ掛けて裏面上側に位置させるためのフック部がヒンジ部を介して開閉可能に設けられ、前記ＤＶＤにはディスクトレイ出し入れ用の開口部とＬＥＤ表示部が設けられ、このＬＥＤ表示部は立設可能に前記ＤＶＤの前面に取り付けられ、前記ＤＶＤを前記薄型テレビジョンの裏面側に位置させた際に前記ＬＥＤ表示部の文字が前記薄型テレビジョンの前側から見て正常に解読できるように文字表示を変換する変換用スイッチが前記ＤＶＤの裏面側に設けられていることを特徴としている。
【００１０】
請求項２に記載の発明は、薄型テレビジョンにＤＶＤを取り付けるようにしたＤＶＤの薄型テレビジョンへの取付構造において、前記ＤＶＤに前記薄型テレビジョンの上面に引っ掛けて裏面側に位置させるためのフック部が設けられていることを特徴としている。
【００１１】
請求項３に記載の発明は、前記フック部は、前記ＤＶＤの表面にビス止めで取り付けられるようにした。
【００１２】
請求項４に記載の発明は、前記ＤＶＤのＬＥＤ表示部は、前記ＤＶＤのパネルに対して立設可能に取り付けられている。
【００１３】
請求項５に記載の発明は、前記ＬＥＤ表示部は、その裏面側に立設した状態を保持するための保持板が斜め向きに取り付けられている。
【００１４】
請求項６に記載の発明は、前記保持板の端部には、前記ＬＥＤ表示部を立設した状態で前記ＤＶＤの本体部の係合部に係脱可能に係合するための係合爪が設けられている。
【００１５】
請求項７に記載の発明は、前記保持板は、長手方向略中央部で枢支されて折曲可能に構成されている。
【発明の効果】
【００１６】
請求項１に記載の発明によれば、薄型テレビジョンの上面にＤＶＤのフック部を引っ掛けて裏面側にＤＶＤを位置させるようにしたので、薄型テレビジョンの空いたスペースを大きく取らず、横幅のスペースが最小限のスペースでＤＶＤを薄型テレビジョンに脱着可能に取り付けることができる。また、フック部がヒンジ部によって開閉可能に設けられているので、ＤＶＤを取り付けない場合には、このフック部をＤＶＤ本体内に収納できて、ＤＶＤの外観を損なうことがない。また、ＤＶＤを薄型テレビジョンにフック部で立て向きに取り付けると、ＤＶＤにＬＥＤ表示部を立設した状態ではＬＥＤ表示部の文字や上下左右逆向きに見えることとなるが、変換用スイッチを押してＯＮすることによって、文字や表示が前側から見て正常に解読できるようにすることができる。
【００１７】
請求項２に記載の発明によれば、ＤＶＤのフック部を引っ掛けて薄型テレビジョンにぶら下げ状態で取り付けたときに、空いたスペースを大きく取らず、最小限のスペースでＤＶＤを薄型テレビジョンに取り付けることができる
請求項３に記載の発明によれば、フック部がＤＶＤの表面にビス止めで取り付けられるようにしたので、フック部をＤＶＤに簡単且つ強固に取り付けることができ、ＤＶＤだけの場合には、フック部を取り付けない状態にすることができるので、見栄えがよい。
【００１８】
請求項４に記載の発明によれば、ＤＶＤを薄型テレビジョンにフック部でぶら下げ状態で取り付けたときに、ＤＶＤのＬＥＤ表示部を立設した状態とすることができるので、薄型テレビジョンの正面からＤＶＤのＬＥＤ表示部を容易に見ることができる。
【００１９】
請求項５に記載の発明によれば、ＬＥＤ表示部が立設した状態を保持する保持板を斜め向きに取り付けているので、ＬＥＤを立設状態に保持することができ、ＬＥＤ表示部が倒れることを防ぐことができる。
【００２０】
請求項６に記載の発明によれば、ＬＥＤ表示部を立設した状態で、保持板の端部の係合爪をＤＶＤの本体部の係合部に係合することによって、保持板を固定することができＬＥＤ表示部を立設状態に保持することができる。
【００２１】
請求項７に記載の発明によれば、保持板が長手方向略中央部で枢支されているので、ＬＥＤ表示部を立設した状態でもＤＶＤのパネルに沿った状態でも簡単にすることができる。
【発明を実施するための最良の形態】
【００２２】
以下、本発明に係るＤＶＤの薄型テレビジョンへの取付構造の実施の形態を、図を参照しつつ説明する。
【００２３】
図１は本発明に係るＤＶＤの薄型テレビジョンへの取付構造の第１実施形態の側面図である。
【００２４】
図１に示すように、第１実施形態では、薄型テレビジョン１の上面に、ＤＶＤ２の略Ｌ字状のフック部３を引っ掛けて薄型テレビジョン１の裏面側にＤＶＤ２を吊り下げるようにして位置させている。フック部３はヒンジ部４を介して開閉可能にＤＶＤ２に設けられている。ＤＶＤ２の図にて上側には、ディスクトレイ５が出し入れされ、更に、ＬＥＤ表示部６が保持板７に保持された状態で立設されるようになっている。ＤＶＤ２の図にて裏面側には、ＬＥＤ表示部６の文字や数字を正常に解読できるようにこの表示文字、表示数字を変換する変換用スイッチ８が設けられている。
【００２５】
図２は同取付構造のＤＶＤの斜視図である。
【００２６】
図２に示すように、ＤＶＤ２には、その表面パネル９にディスクトレイ５の出し入れ口１０が設けられ、その下側にＬＥＤ表示部６が立設可能に設けられている。略Ｌ字状のフック部３はＤＶＤ２の上面にヒンジ部４を介して開閉可能に設けられており、通常は実線で示すように、ＤＶＤ２の表面に沿った状態で収納されている。薄型テレビジョン１の上面に吊り下げ状態で引っ掛ける場合には、図にて鎖線で示すようにヒンジ部４を軸にして９０度開くことができるように構成されている。
【００２７】
図３は同装置における薄型テレビジョンにＤＶＤを取り付けたときの部分正面図である。
【００２８】
図３に示すように、薄型テレビジョン１にＤＶＤ２が吊り下げられているときに、ＬＥＤ表示部６が立設されているときは、上記したＤＶＤ２の裏面側の変換用スイッチ８を押してＯＮ状態にすると、ＬＥＤ表示部６の文字や数字が薄型テレビジョン１の前側から見た状態で正常に解読できるように変換される。
【００２９】
図４は同装置におけるＤＶＤのＬＥＤ表示部を立設した状態の第１例を示す部分側面図である。
【００３０】
図４に示す第１例では、ＬＥＤ表示部６を立設した状態の保持板７には、ＤＶＤ２の本体部の内面側の係合部１１に係脱可能に係合する係合爪１２が設けられている。係合部１１は例えば略コ字形に形成され、この略コ字形の係合部１１に係合爪１２が係合するように構成すればよい。係合を解除する場合には、保持板７を内向きに押して係合爪１２が係合部１２から外れるように構成する。これにより、保持板７は立設状態に保持され、係合を解除することによって、ＤＶＤ２の表面パネル９に沿った状態にすることができる。
【００３１】
図５は同装置におけるＤＶＤのＬＥＤ表示部を立設した状態の第２例を示す部分側面図である。
【００３２】
図５に示す第２例では、保持板７が長手方向略中央部で枢支されていて、折曲可能に構成されている。保持板７を図５に示すように、直線状態としたときに、ＬＥＤ表示部６は立設状態に保持され、枢支部分から折曲させたときには、ＬＥＤ表示部６はＤＶＤ２の表面パネル９に沿った状態となる。
【００３３】
従って、この第１実施形態によれば、薄型テレビジョン１の上面にＤＶＤ２のフック部３を引っ掛けて裏面側にＤＶＤ２を位置させるようにしたので、薄型テレビジョン１の空いたスペースを大きく取らず、横幅のスペースが最小限のスペースでＤＶＤ２を薄型テレビジョン１に脱着可能に取り付けることができる。また、フック部２がヒンジ部４によって開閉可能に設けられているので、ＤＶＤ２を取り付けない場合には、このフック部３をＤＶＤ２の本体内に収納できて、ＤＶＤ２の外観を損なうことがない。また、ＤＶＤ２を薄型テレビジョン１にフック部３で立て向きに取り付けると、ＤＶＤ２にＬＥＤ表示部６を立設した状態ではＬＥＤ表示部６の文字や上下左右逆向きに見えることとなるが、変換用スイッチ８を押してＯＮすることによって、文字や表示が前側から見て正常に解読できるようにすることができる。
【００３４】
図６は第２実施形態のＤＶＤの薄型テレビジョンへの取付構造の側面図である。尚、上記第１実施形態と同一部材、同一箇所には同一符号を付してその説明を省略する。
【００３５】
図６に示すように、この第２実施形態では、ＤＶＤ２を薄型テレビジョン１に吊り下げた状態にするフック部３にはその基端に直角方向に板状部３ａが延設されていて、この板状部３ａをＤＶＤ２にビス１３で取付固定するようになっている。このフック部３をＤＶＤ２にビス止めした状態で、このフック部３を薄型テレビジョン１の上面に引っ掛けてその裏面側にＤＶＤ２を位置させている。
【００３６】
図７は同取付構造の第２実施形態におけるＤＶＤの斜視図である。
【００３７】
図７に示すように、フック部３とＤＶＤ２の表面には、ビス孔３ｂ、２ａが形成されていて、これらのビス孔３ｂ、２ａにビス１３をねじ込んでＤＶＤ２にフック部３を取付固定するようになっている。
【００３８】
従って、この第２実施形態によれば、フック部３がＤＶＤ２の表面にビス止めで取り付けられるようにしたので、フック部３をＤＶＤ２に簡単且つ強固に取り付けることができ、ＤＶＤ２だけの場合には、フック部３を取り付けない状態にすることができるので、見栄えがよい。
【図面の簡単な説明】
【００３９】
【図１】本発明に係るＤＶＤの薄型テレビジョンへの取付構造の第１実施形態の側面図である。
【図２】同取付構造のＤＶＤの斜視図である。
【図３】同装置における薄型テレビジョンにＤＶＤを取り付けたときの部分正面図である。
【図４】同装置におけるＤＶＤのＬＥＤ表示部を立設した状態の第１例を示す部分側面図である。
【図５】同装置におけるＤＶＤのＬＥＤ表示部を立設した状態の第２例を示す部分側面図である。
【図６】第２実施形態のＤＶＤの薄型テレビジョンへの取付構造の側面図である。
【図７】同取付構造の第２実施形態におけるＤＶＤの斜視図である。
【図８】従来の液晶テレビ付きＤＶＤ再生装置を示し、（Ａ）は正面図、（Ｂ）は平面図、（Ｃ）は右側面図、（Ｄ）は（Ａ）のＸ−Ｘ断面矢視図である。
【図９】同装置の分解斜視図である。
【図１０】従来の記憶装置を内臓した薄型映像表示装置の模式的斜視図である。
【図１１】従来のビデオ内臓型テレビの斜視図である。
【図１２】従来のビデオ内臓型テレビの液晶表示パネルを突出させた状態の斜視図である。
【符号の説明】
【００４０】
１        薄型テレビジョン
２        ＤＶＤ
２ａ      ビス孔
３        フック部
３ａ      板状部
３ｂ      ビス孔
４        ヒンジ部
５        ディスクトレイ
６        ＬＥＤ表示部
７        保持板
８        変換用スイッチ
９        表面パネル
１０      出し入れ口
１１      係合部
１２      係合爪
１３      ビス
【図８】
2006115233.tif 000003
【図９】
2006115233.tif 000004
【図１】
2006115233.tif 000005
【図２】
2006115233.tif 000006
【図３】
2006115233.tif 000007
【図４】
2006115233.tif 000008
【図５】
2006115233.tif 000009
【図６】
2006115233.tif 000010
【図７】
2006115233.tif 000011
【図１０】
2006115233.tif 000012
【図１１】
2006115233.tif 000013
【図１２】
2006115233.tif 000014